(57)【要約】【課題】眩しさを抑制し、また、装飾効果あるいは演出効果を向上させることが可能な照明装置を提供する。【解決手段】面発光体１０と、面発光体１０上に配置され面発光体１０からの光を受けて反射あるいは拡散する受光部材２０と、を備えてなる照明装置１００であって、受光部材２０は、面発光体１０の発光面に対して傾斜しあるいは屈曲してなる受光部２１〜２５を有することを特徴とする。受光部材２０は、半透過性の材料からなることを特徴とする。面発光体１０は、有機ＥＬパネルからなることを特徴とする。【選択図】  図１
2013127885.tif 000002
【特許請求の範囲】
【請求項１】
面発光体と、前記面発光体上に配置され前記面発光体からの光を受けて反射あるいは拡散する受光部材と、を備えてなる照明装置であって、
前記受光部材は、前記面発光体の発光面に対して傾斜しあるいは屈曲してなる受光部を有することを特徴とする照明装置。
【請求項２】
前記受光部材は、前記面発光体からの光が通過する孔部を有することを特徴とする請求項１に記載の照明装置。
【請求項３】
前記受光部材は、半透過性の材料からなることを特徴とする請求項１に記載の照明装置。
【請求項４】
前記面発光体は、有機ＥＬパネルからなることを特徴とする請求項１に記載の照明装置。
【発明の詳細な説明】
【技術分野】
【０００１】
本発明は、面発光体を備える照明装置に関する。
【背景技術】
【０００２】
従来、有機材料によって形成される自発光素子として知られる有機ＥＬ（Electro  Luminescence）素子は、例えば、陽極となるＩＴＯ（Indium  Tin  Oxide）等からなる第１電極と、少なくとも発光層を有する有機層と、陰極となるアルミニウム（Ａｌ）等からなる非透光性の第２電極と、を順次積層してなるものである（特許文献１参照）。
【０００３】
かかる有機ＥＬ素子は、第１電極から正孔を注入し、また、第２電極から電子を注入して正孔及び電子が前記発光層にて再結合することによって光を発するものである。有機ＥＬ素子はディスプレイに採用されるほか、近年では有機ＥＬ素子を光源とした面発光型の照明装置も開発されている（例えば特許文献２参照）。
【先行技術文献】
【特許文献】
【０００４】
【特許文献１】特開昭５９−１９４３９３号公報
【特許文献２】特開２００３−７４５０号公報
【特許文献３】特開２０１０−１７７０４９号公報
【発明の概要】
【発明が解決しようとする課題】
【０００５】
しかし、特許文献２に開示される照明装置は、有機ＥＬ素子を単調な面発光光源として用いるものに留まる。これに対し、特許文献３には、有機ＥＬ素子からなる面発光体を収納し短冊状に形成された複数の発光部材を連結して立体構造とした照明装置が開示されている。
【０００６】
しかしながら、特許文献３に開示される構成においても、照明光は発光面から出射されるのみであるため単調であるとともに視認する方向によっては照明光が眩しく感じられ、装飾効果や演出効果の向上という点においてはなお改良の余地があった。
【０００７】
そこで本発明は、この問題に鑑みてなされたものであり、眩しさを抑制し、また、装飾効果あるいは演出効果を向上させることが可能な照明装置を提供することを目的とする。
【課題を解決するための手段】
【０００８】
本発明の発光装置は、前記課題を解決するために、面発光体と、前記面発光体上に配置され前記面発光体からの光を受けて反射あるいは拡散する受光部材と、を備えてなる照明装置であって、
前記受光部材は、前記面発光体の発光面に対して傾斜しあるいは屈曲してなる受光部を有することを特徴とする。
【０００９】
また、前記受光部材は、前記面発光体からの光が通過する孔部を有することを特徴とする。
【００１０】
また、前記受光部材は、半透過性の材料からなることを特徴とする。
【００１１】
また、前記面発光体は、有機ＥＬパネルからなることを特徴とする。
【発明の効果】
【００１２】
本発明は、眩しさを抑制し、また、装飾効果あるいは演出効果を向上させることが可能となるものである。
【図面の簡単な説明】
【００１３】
【図１】本発明の第１の実施形態である照明装置を示す斜視図。
【図２】同上照明装置を示す側面図。
【図３】同上照明装置に用いられる有機ＥＬパネルを示す模式図。
【図４】本発明の第２の実施形態である照明装置を示す正面図。
【図５】同上照明装置を示す正面図。
【発明を実施するための形態】
【００１４】
以下、添付図面に基づいて本発明を照明装置に適用した実施形態について説明する。
【００１５】
図１及び図２は、本発明の第１の実施形態である照明装置１００を示す図である。照明装置１００は、面発光体である有機ＥＬパネル１０と、有機ＥＬパネル１０からの光を受ける受光部材２０と、を備える。
【００１６】
図３は、有機ＥＬパネル１０を示す図である。有機ＥＬパネル１０は、図３（ａ）に示すように、支持基板１１と、第１電極１２と、絶縁膜１３と、有機層１４と、第２電極１５と、封止部材１６と、から主に構成される。支持基板１１上に形成される各部からなる積層体は有機ＥＬ素子を構成する。有機ＥＬ素子は両電極間に電圧を印加すると発光し、有機ＥＬ素子から発せられた光Ｌは、発光面である支持基板１１側から外部に出射される。
【００１７】
支持基板１１は、例えば透光性の無アルカリガラスからなる矩形状の基板である。なお、アルカリガラス等のその他のガラス基板を用いてもよく、ガラス厚についても特に限定されない。支持基板１１上には、第１電極１２、絶縁膜１３、有機層１４及び第２電極１５が順に積層形成される。
【００１８】
第１電極１２は、正孔を注入する陽極となるものであり、支持基板１１上にＩＴＯあるいはＡＺＯ等の透明導電材料をスパッタリング法あるいは真空蒸着法等の手段によって５０〜５００ｎｍの膜厚で層状に形成し、フォトリソグラフィー法等の手段によって所定の形状にパターニングしてなる。また、第１電極１２は、その表面がＵＶ／Ｏ３処理やプラズマ処理等の表面処理を施される。
【００１９】
絶縁膜１３は、第１電極１２のエッジを含む支持基板１１の周辺領域を覆うものであり、例えばポリイミド系やフェノール系の絶縁材料をスパッタリング法等の手段によって層状に形成し、フォトリソグラフィー法で所望の形状にパターニングしてなる。絶縁膜１３は、発光部の形状を画定し、短絡などを防止するものである。
【００２０】
有機層１４は、少なくとも有機材料からなる発光層を含む多層からなり、第１電極１２上に形成されるものである。本実施形態においては、図３（ｂ）に示すように、第１電極１２側から順に正孔注入層１４ａ、正孔輸送層１４ｂ、第１の発光層１４ｃ、第２の発光層１４ｄ、電子輸送層１４ｅ及び電子注入層１４ｆが順に積層形成されてなる。
【００２１】
正孔注入層１４ａは、第１電極１２から正孔を取り込む機能を有し、例えばアミン系化合物等の正孔輸送性有機材料を蒸着法等の手段によって膜厚２０〜１２０ｎｍ程度の層状に形成してなる。
【００２２】
正孔輸送層１４ｂは、正孔を第１の発光層１４ｃへ伝達する機能を有し、例えばアミン系化合物等の正孔輸送性材料を蒸着法等の手段によって膜厚２０〜４０ｎｍ程度の層状に形成してなる。
【００２３】
第１の発光層１４ｃは、電子輸送性の第１のホスト材料と正孔輸送性材料と発光を呈する第１の発光ドーパントとを共蒸着等の手段によって混合した膜厚２０〜６０ｎｍの混合層からなる。
前記第１のホスト材料は、正孔及び電子の輸送が可能であり、その分子内で正孔及び電子が再結合することで前記第１の発光ドーパントを発光させる機能を有する。ここで、電子輸送性のホスト材料とは電子輸送能力の比較的高い有機材料であり、具体的には電子移動度μｅが高く正孔移動度μｈが低い材料を言う。具体的には例えばアントラセン誘導体を用いる。前記正孔輸送性材料としては例えば正孔輸送層１４ｂと同様の材料を用いるが異なる材料でもよい。
前記第１の発光ドーパントは、正孔と電子との再結合に反応して発光する機能を有し、所定の発光色を示す有機材料からなる。本実施形態では例えば青緑色発光を示すスチリルアミン、アミン置換スチリルアミン化合物からなる蛍光材料で濃度消光を起こさない程度のドーピング量で用いる。
【００２４】
第２の発光層１４ｄは、電子輸送性の第２のホスト材料と正孔輸送性材料と発光を呈する第２の発光ドーパントとを共蒸着等の手段によって混合した膜厚２０〜６０ｎｍの混合層からなる。
前記第２のホスト材料は、正孔及び電子の輸送が可能であり、その分子内で正孔及び電子が再結合することで前記第２の発光ドーパントを発光させる機能を有する。ここで、電子輸送性のホスト材料とは電子輸送能力の比較的高い有機材料であり、具体的には電子移動度μｅが高く正孔移動度μｈが低い材料を言う。具体的には例えばアントラセン誘導体からなる。前記正孔輸送性材料としては例えば正孔輸送層１４ｂと同様の材料を用いるが異なる材料でもよい。
前記第２の発光ドーパントは、正孔と電子との再結合に反応して発光する機能を有し、前述の前記第１の発光ドーパントとは異なる所定の発光色を示す有機材料からなる。本実施形態では例えば橙色発光を示すフルオランテン骨格又はペンタセン骨格を有する蛍光材料で濃度消光を起こさない程度のドーピング量で用いる。なお、前記第１、第２の発光ドーパントとしては、蛍光材料のほか燐光材料あるいは熱遅延蛍光材料を用いてもよい。また、第１の発光層１４ｃと第２の発光層１４ｄとの発光色を逆にしてもよい。
【００２５】
電子輸送層１４ｅは、電子を第２の発光層１４ｄへ伝達する機能を有し、例えばアルミニウムキノリン（Ａｌｑ３）などの電子輸送性材料を膜厚８〜３０ｎｍ程度の層状に形成してなる、または、トリアジン誘導体とアルカリ金属錯体とを共蒸着等の手段によって混合した膜厚２０〜６０ｎｍの混合層からなるものである。
【００２６】
電子注入層１４ｆは、第２電極１５から電子を取り込む機能を有し、例えばフッ化リチウム（ＬｉＦ）やリチウムキノリン（Ｌｉｑ）を蒸着法等の手段によって膜厚１ｎｍ程度の層状に形成してなるものである。
【００２７】
第２電極１５は、電子を注入する陰極となるものであり、電子注入層１４ｆ上に例えばＡｌ，マグネシウム（Ｍｇ），コバルト（Ｃｏ），Ｌｉ，金（Ａｕ），銅（Ｃｕ），亜鉛（Ｚｎ）等の低抵抗導電材料をスパッタリング法や真空蒸着法等の手段によって膜厚２０〜２００ｎｍの層状に形成した導電膜からなるものである。
【００２８】
封止部材１６は、例えばガラス材料からなり、成型、サンドブラスト、切削あるいはエッチング等の適宜方法で凹形状に形成してなるものである。封止部材１６は、例えば紫外線硬化性エポキシ樹脂からなる接着剤１７を介して支持基板１１上に気密的に配設され、有機ＥＬ素子が封止される。支持基板１１と封止部材１６とで形成される封止空間内には吸湿剤（図示しない）が配設される。なお、封止部材１６は平板状であってもよく、その場合封止部材１６はスペーサーを介して支持基板１１上に配設される。
【００２９】
以上のように、有機ＥＬパネル１０が構成される。なお、支持基板１１上に形成され、第１電極１２あるいは第２電極１５と接続される引き回し配線や端子等の周知の内容については説明を簡略にするために適宜省略した。
【００３０】
受光部材２０は、例えば和紙、パラフィン紙、薄紙、障子紙や半透過性の樹脂材料などの半透過性の材料からなり、有機ＥＬパネル１０の発光面（支持基板１１）上に配置され、有機ＥＬパネル１０からの光Ｌを受けてこれを反射あるいは拡散するものである。なお、ここで「半透過性」とは光を一部透過し、一部反射するものをいう。受光部材２０は、任意の形状で形成されるが本実施形態においては折り鶴状に形成される。受光部材２０は、有機ＥＬパネル１０の発光面に対して傾斜してなる受光部２１〜２５を備える。なお、受光部２１は折り鶴の頭部にあたり、受光部２２は折り鶴の頸部にあたり、受光部２３及び２４は折り鶴の翼部にあたり、受光部２５は折り鶴の尾部にあたる。また、受光部２１〜２５は傾斜角度あるいは傾斜方向がそれぞれ異なる。
【００３１】
図２に示すように、有機ＥＬパネル１０の発光面から出射された光Ｌは、発光面に対して垂直でない受光部２１〜２５で拡散または反射され受光部材２０が淡く光を発しているように視認される。これにより、有機ＥＬパネル１０の光Ｌが拡散されることから眩しさを抑制でき、また、有機ＥＬパネル１０の光Ｌを多方向に取り出すことができ装飾効果あるいは演出効果を向上させることが可能となる。
【００３２】
次に、図４及び図５を用いて本発明の第２の実施形態について説明する。第２の実施形態である照明装置２００が前述の第１の実施形態と異なる点は、有機ＥＬパネル１０上に受光部材３０を備える点である。
【００３３】
受光部材３０は、例えば和紙、パラフィン紙、薄紙、障子紙や半透過性の樹脂材料などの半透過性の材料からなり、有機ＥＬパネル１０の発光面（支持基板１１）上に配置され、有機ＥＬパネル１０からの光Ｌを受けてこれを拡散または反射するものである。受光部材３０は、任意の形状で形成されるが本実施形態においては側面が上端及び下端から徐々に外側に突出するように湾曲した中空筒状に形成される。受光部材３０は、その側面全周に等間隔で複数形成され、有機ＥＬパネル１０の発光面（支持基板１１）に対して湾曲してなる受光部３１と、受光部３１と交互に複数形成されるスリット部（孔部）３２と、を備える。
【００３４】
図５に示すように、有機ＥＬパネル１０の発光面から出射された光Ｌは、発光面に対して垂直でない受光部３１で拡散または反射され受光部材３０が淡く光を発しているように視認され、また、光Ｌの一部はスリット部３２を通過して外部に出射される。これにより、有機ＥＬパネル１０の光Ｌが拡散されることから眩しさを抑制でき、また、有機ＥＬパネル１０の光Ｌを立体的に取り出すことができ装飾効果あるいは演出効果を向上させることが可能となる。また、スリット部３２を受光部３１に設けることで、拡散または反射される以外にも受光部材３０を通過する光を得ることができ、有機ＥＬパネル１０の光Ｌをより多方向に取り出すことができる。
【００３５】
以上の説明は本発明を例示するものであって、その要旨を逸脱しない範囲で種々の変更、変形が可能であることは言うまでもない。本発明における受光部材は、発光パネルの発光面に対して傾斜あるいは湾曲した受光部を備えるものであれば、その形状は任意である。また、受光部材は発光パネルの発光面の一部を覆うものであっても、全部を覆うものであってもよい。また、受光部に形成される孔部はスリット状のほか、多角形状、円状、楕円状などであってもよい。また、有機ＥＬ素子の積層構造は本実施形態に限定されるものではなく、発光層が１層であったり、電子輸送層が複数層形成されるなどの構成であってもよい。また、面発光体としては、無機ＥＬ素子を備えた無機ＥＬパネルを用いてもよい。
【産業上の利用可能性】
【００３６】
本発明は、面発光体を備えた照明装置に好適である。
【符号の説明】
【００３７】
１００、２００  照明装置
１０  有機ＥＬパネル（面発光体）
２０  受光部材
２１〜２５  受光部
３０  受光部材
３１  受光部
３２  スリット部（孔部）
【図１】
2013127885.tif 000003
【図２】
2013127885.tif 000004
【図３】
2013127885.tif 000005
【図４】
2013127885.tif 000006
【図５】
2013127885.tif 000007